(57)【特許請求の範囲】
【請求項１】
頂壁および頂壁と一体的に構成された側壁より成るポット型コアを具備し、頂壁の中心部には柱状コア挿通孔が形成され、
底板と底板と一体にその中心部に立設されるコア台座より成るリベット型コアを具備し、
コア台座に嵌合位置決めされるコイルを具備し、
柱状コアを具備し、
スペーサを具備し、
ポット型コアとリベット型コアとを側壁の開口端面と底板の上面を介して接合固定し、
柱状コアの下端面をスペーサを介してコア台座の上端面に対向した状態で柱状コアとスペーサとコア台座の３者を相互に接合固定したことを特徴とするポットリベット型コアチョークコイル。
【請求項２】
請求項１に記載されるポットリベット型コアチョークコイルにおいて、
コア台座の高さはポット型コアの側壁の高さと比較して低く設計したことを特徴とするポットリベット型コアチョークコイル。
【請求項３】
請求項１および請求項２の内の何れかに記載されるポットリベット型コアチョークコイルにおいて、
柱状コアはその断面形状を柱状コア挿通孔の断面形状に対応して設計すると共に、その高さをコア台座の高さとスペーサの厚さとの和が側壁の高さにほぼ等しく設計したものであることを特徴とするポットリベット型コアチョークコイル。
【請求項４】
請求項１ないし請求項３の内の何れかに記載されるポットリベット型コアチョークコイルにおいて、
柱状コアはニッケル合金、マンガン合金の如き強磁性材料の内から適宜の材料を選択使用して構成したものであることを特徴とするポットリベット型コアチョークコイル。
【発明の詳細な説明】
【０００１】
【発明の属する技術分野】
この発明は、ポットリベット型コアチョークコイルに関し、特に、リベット型コアのコア台座とポット型コアとの間のギャップを精密に調整してチョークコイルのインダクタンス値を正確に設定組み立てるポットリベット型コアチョークコイルに関する。
【０００２】
【従来の技術】
この発明の従来例を図４を参照して説明する。
１０はフェライトより成るポット型コアを示す。１０１は角型のポット型コア１０の頂壁を示す。１０３はポット型コア１０の側壁を示す。互いに隣接する側壁１０３の交差する隅部下部には切り欠き部１０４が形成されている。
ポット型コア１０は、フェライト微粉末を金型に充填加圧、成型する。このフェライト微粉末より成るポット型コア１０の加圧成型体は、次いで、高温において焼成されてフェライトのポット型コア１０が構成される。
【０００３】
３はコイルを示す。このコイル３は断面丸型或いは角型の電線を螺旋状に捲回して構成される。３１はコイル端末部を示す。このコイル３は、電線を螺旋状に捲回した後に表面に絶縁材料被膜を施したものより成る。コイル３は必要とされるインダクタンスに対応したターン数を捲回して形成されている。
４は端子である。この端子４は、断面コ字型の取り付け部４４、取り付け部４４から一体的に延伸形成されるコイル接続部４５、コイル接続部４５の上面に突出形成される係止突起４６より成る。
【０００４】
２０はフェライトより成るリベット型コアを示す。リベット型コア２０は角型の底板２０１と、底板２０１と一体的にその中心部に立設される磁芯部２０４より成る。磁芯部２０４の高さはポット型コア１０の側壁１０３内面の高さと比較して低く設計し、ポット型コアの頂壁１０１内表面とリベット型コアの磁芯部２０４の端面との間に磁路のギャップＧを形成している。このギャップＧを調整してコイルのインダクタンスを設定する。２０２は底板２０１の対向する２辺の中間部に形成される嵌合薄肉部であり、端子４の断面コ字型の取り付け部４４が嵌合固定される。２０３は端子載置面であり、端子４の板厚に対応して、底板２０１の表面からこの厚さ分だけ低く段差をつけられた領域である。リベット型コア２０も、フェライト微粉末を金型に充填加圧し、磁芯部２０４と底板２０１を一体に成型する。このフェライト微粉末より成るリベット型コアの加圧成型体は、次いで、高温において焼成されてリベット型コア２０が構成される。
【０００５】
以上の構成部材を使用してチョークコイルを組み立てる順序を説明する。
ポット型コア１０、コイル３、端子４、リベット型コア２０を準備する。
▲１▼  リベット型コア２０の端子載置面２０３および嵌合薄肉部２０２に端子４を嵌合固定する。
▲２▼  リベット型コア２０の磁芯部２０４にコイル３を嵌合する。
▲３▼  次いで、コイル３のコイル端末部３１を端子４のコイル接続部４５に半田付けする。これに際して、コイル接続部４５の上面に突出形成される係止突起４６にコイル端末部３１をカラゲ仮止めしておく。
【０００６】
▲４▼  ポット型コア１０の開口周端面とリベット型コア２０の底板２０１の表面にエポキシ系合成樹脂接着剤を施す。
▲５▼  ポット型コア１０の頂壁１０１とリベット型コア２０の磁芯部２０４の端面にギャップＧを形成した状態で、両者間を接合固定する。
以上により、チョークコイルの組み立ては終了する。
ここで、端子４のコイル接続部４５に対してコイル３のコイル端末部３１を半田付けする。即ち、コイル接続部４５の上面に突出形成される係止突起４６にコイル端末部３１をカラゲ仮止めした状態のコイル３を有するリベット型コア２０を準備し、コイル端末部３１がカラゲ仮止められたコイル接続部４５を半田槽の溶融半田に浸漬する。
【０００７】
【発明が解決しようとする課題】
上述した通り、ポット型コア１０およびリベット型コア２０は、何れも、フェライト微粉末を金型に充填加圧、成型し、高温において焼成して構成する。この種の加圧、成型および焼成工程を含む加工は、一般に、設計精度は高いとは言い難く、出来上がりのポット型コア１０およびリベット型コア２０に変形、反りを生じる。この変形、反りは、コイルのインダクタンス値に直接関わるポット型コアの頂壁１０１内表面とリベット型コアの磁芯部２０４の端面との間のギャップＧにも影響を及ぼし、インダクタンス値の設計精度を充分に確保することができない。
【０００８】
この発明は、柱状コアの下端面をスペーサ７を介してコア台座の上端面に対向した状態で、柱状コアとスペーサとコア台座の３者は相互に接合固定する構成を採用することにより、上述の問題を解消したポットリベット型コアチョークコイルを提供するものである。
【０００９】
【課題を解決するための手段】
請求項１：頂壁１０１および頂壁１０１と一体的に構成された側壁１０３より成るポット型コア１０を具備し、頂壁１０１の中心部には柱状コア挿通孔１０５が形成され、底板２０１と底板２０１と一体に中心部に立設されるコア台座２０４’より成るリベット型コア２０を具備し、コア台座２０４’に嵌合位置決めされるコイル３を具備し、柱状コア６を具備し、スペーサ７を具備し、ポット型コア１０とリベット型コア２０とを側壁１０３の開口端面と底板２０１の上面を介して接合固定し、柱状コア６の下端面をスペーサ７を介してコア台座２０４’の上端面に対向した状態で柱状コア６とスペーサ７とコア台座２０４’の３者を相互に接合固定したポットリベット型コアチョークコイルを構成した。
【００１０】
そして、請求項２：請求項１に記載されるポットリベット型コアチョークコイルにおいて、コア台座２０４’の高さはポット型コア１０の側壁１０３の高さと比較して低く設計したポットリベット型コアチョークコイルを構成した。
また、請求項３：請求項１および請求項２の内の何れかに記載されるポットリベット型コアチョークコイルにおいて、柱状コア６はその断面形状を柱状コア挿通孔１０５の断面形状に対応して設計すると共に、その高さをコア台座２０４’の高さとスペーサ７の厚さとの和が側壁１０３の高さにほぼ等しく設計したものであるポットリベット型コアチョークコイルを構成した。
【００１１】
更に、請求項４：請求項１ないし請求項３の内の何れかに記載されるポットリベット型コアチョークコイルにおいて、柱状コア６はニッケル合金、マンガン合金の如き強磁性材料の内から適宜の材料を選択使用して構成したものであるポットリベット型コアチョークコイルを構成した。
【００１２】
【発明の実施の形態】
この発明の実施の形態を図１および図２の実施例を参照して説明する。図１は実施例の分解斜視図であり、図２は実施例の組み立て順序を説明する図である。
１０はフェライトより成る角型のポット型コアを示す。１０１はポット型コア１０の頂壁を示す。１０３はポット型コア１０の側壁を示す。互いに隣接する側壁１０３の交差する隅部下部には切り欠き部１０４が形成されている。１０５は頂壁１０１の中心部に形成される柱状コア挿通孔である。
【００１３】
ポット型コア１０は、フェライト微粉末を金型に充填加圧、成型する。このフェライト微粉末より成るポット型コア１０の加圧成型体は、次いで、高温において焼成されてフェライトのポット型コア１０が構成される。
３はコイルを示す。このコイル３は銅線を螺旋状に変形加工することにより構成される。３１はコイル端末部を示す。このコイル３は、銅線を螺旋状に変形加工した後に表面に絶縁材料被膜を施したものより成る。コイル３は必要とされるインダクタンスに対応したターン数を捲回して形成されている。そして、コイル３は、一般に、断面丸型或いは角型電線を捲回して形成する。
【００１４】
４は端子である。この端子４は、断面コ字型の取り付け部４４、取り付け部４４から一体的に延伸形成されるコイル接続部４５、コイル接続部４５の上面に突出形成される係止突起４６より成る。
２０はフェライトより成るリベット型コアを示す。リベット型コア２０は角型の底板２０１および、底板２０１と一体的にその中心部に立設されるコア台座２０４’より成る。コア台座２０４’の高さはポット型コア１０の側壁１０３の高さと比較して低く設計する。２０２は底板２０１の対向する２辺の中間部に形成される嵌合薄肉部であり、端子４の断面コ字型の取り付け部４４が嵌合固定される。２０３は端子載置面であり、端子４の板厚に対応して、底板２０１の表面からこの厚さ分だけ低く段差をつけられた領域である。
【００１５】
リベット型コア２０も、フェライト微粉末を金型に充填加圧し、コア台座２０４’と底板２０１を一体に成型する。このフェライト微粉末より成るリベット型コアの加圧成型体は、次いで、高温において焼成されてリベット型コア２０が構成される。
６は柱状コアである。この柱状コア６はその断面形状をポット型コア１０の頂壁１０１に形成される柱状コア挿通孔１０５の断面形状に対応して設計される。そして、柱状コア６の高さはリベット型コア２０のコア台座２０４’の高さと、次いで説明されるスペーサ７の厚さとの和がポット型コア１０の側壁１０３の高さにほぼ等しく設計される。柱状コア６はニッケル合金、マンガン合金の如き強磁性材料により構成される。
【００１６】
７はスペーサである。このスペーサ７は合成樹脂の如き非磁性の材料により構成される。
以上の構成部材を使用してチョークコイルを組み立てる順序を説明する。
先ず、柱状コア６、スペーサ７、ポット型コア１０、コイル３、端子４、リベット型コア２０を準備する。
▲１▼  リベット型コア２０の端子載置面２０３および嵌合薄肉部２０２に端子４を嵌合固定する。
【００１７】
▲２▼  リベット型コア２０のコア台座２０４’にコイル３を嵌合する。
▲３▼  次いで、コイル３のコイル端末部３１を端子４のコイル接続部４５に半田付けする。これに際して、コイル接続部４５の上面に突出形成される係止突起４６にコイル端末部３１をカラゲ仮止めしておく。
▲４▼  ポット型コア１０の開口周端面とリベット型コア２０の底板２０１の表面にエポキシ系合成樹脂接着剤を施し、両者間を接合固定する。
▲５▼  ポット型コア１０内にその頂壁１０１の中心部に形成される柱状コア挿通孔１０５を介してスペーサ７を挿入し、リベット型コア２０のコア台座２０４’の上端面に載置する。これに際して、スペーサ７の全表面に接着剤を付与しておく。
【００１８】
▲６▼  次いで、ポット型コア１０内に柱状コア挿通孔１０５を介して柱状コア６を挿入し、スペーサ７の上に載置圧し付ける。ここで、柱状コア６の下端面をスペーサ７を介してコア台座２０４’の上端面に対向した状態で、柱状コア６とスペーサ７とコア台座２０４’の３者は相互に接合固定される。そして、柱状コア６の高さとリベット型コア２０のコア台座２０４’の高さとスペーサ７の厚さの和をポット型コア１０の側壁１０３の高さにほぼ等しく設計することにより、柱状コア６の上端部をポット型コア１０の柱状コア挿通孔１０５に挿通嵌合した状態とする。
以上により、ポットリベット型コアチョークコイルの組み立ては終了する。
【００１９】
【発明の効果】
以上の通りであって、この発明によれば、ポット型コア１０とリベット型コア２０により形成される磁気経路は、リベット型コア２０の底板２０１、コア台座２０４’、スペーサ７、柱状コア６、ポット型コア１０の頂壁１０１、側壁１０３、底板２０１とを経由して形成される。このポットリベット型コアチョークコイルは、そのスペーサ７がチョークコイルのギャップＧを形成している。即ち、スペーサ７の厚さがギャップＧを規定している。そして、柱状コア６の下端面をスペーサ７を介してコア台座２０４’の上端面に対向した状態で、柱状コア６とスペーサ７とコア台座２０４’の３者は相互に接合固定しているので、ポット型コア１０の頂壁１０１およびリベット型コア２０の底板２０１に製造に起因する変形反りが生じ、或いは雰囲気状態が変動しても、３者の相互接合およびスペーサ７に損傷が発生しない限り、スペーサ７の厚さに規定されるギャップＧの変動は生ぜず、チョークコイルのインダクタンスにバラツキ変動は生じない。
【００２０】
また、チョークコイルのインダクタンスはギャップＧにより変化調整することができるが、ギャップＧの変化調整はスペーサ７の厚さを変更し、これに対応する変更を柱状コア６の高さに施すことにより精密容易に実施することができる。
更に、柱状コア６を構成する材料としてニッケル合金、マンガン合金の如き強磁性材料の内から適宜の材料を選択使用することにより、様々の特性のチョークコイルを、チョークコイルの本体であるポット型コア１０とリベット型コア２０に変更を施すことなしに簡単に製造することができる。
【図面の簡単な説明】
【図１】実施例を説明する分解斜視図。
【図２】実施例の組み立て順序を説明する図。
【図３】従来例を説明する図。
【符号の説明】
１０  ポット型コア            １０１  頂壁
１０３  側壁                    １０４  切りり欠き部
１０５  柱状コア挿通孔            ２０  リベット型コア
２０１  底板２０１              ２０２  嵌合薄肉部
２０３  端子載置面              ２０４  磁芯部
２０４’コア台座                    ３  コイル
３１  コイル端末部                ４  端子
４４  取り付け部                ４５  コイル接続部
４６  係止突起                    ６  柱状コア
７  スペーサ                    Ｇ  ギャップ
【図１】
0003631461.tif 000002
【図２】
0003631461.tif 000003
【図３】
0003631461.tif 000004